(57)【要約】【課題】充電台で底部に回路基板を設けられなくても充電ができるようにする。【解決手段】充電台の切欠１１の内壁１４の下方に、切欠１１の内壁１４と台部１２の外壁１５の間に内蔵される回路基板１３へ貫通するスリット１７を設ける。回路基板１３は、一端１９ａを基板１３に固定し搭載した充電回路と接続し、他端１９ｂを解放して基板１３より立ち上げた接触端子１９を備える。また、前記接触端子１９と基板１３間にプッシュスイッチ２３を設けて充電回路をオン・オフするようにし、そのプッシュスイッチのオン・オフを接触端子１９の圧接で行なう。こうすることで、切欠１１に携帯無線機１０を装着すると、接触端子１９が押されて撓み、接触端子１９と基板１３間に設けたプッシュスイッチが圧接されてオンになる。また、圧接されたプッシュスイッチ２３は、携帯無線機１０を取り出すと、接触端子１９が元の状態に戻り（復元）解放されてオフになり、底部に回路基板を設けられなくても充電ができるようにする。【選択図】図６
2008086162.tif 000002
【特許請求の範囲】
【請求項１】
充電端子を備えた充電機器あるいは充電電池を装着する嵌合用の切欠あるいは嵌合穴を設けた台部と、その台部の切欠あるいは嵌合穴の内壁と台部の外壁の間に内蔵される充電回路を搭載した回路基板とからなり、
前記台部は、切欠あるいは嵌合穴の内壁に、内蔵する回路基板へ貫通するスリットを設け、
一方、回路基板は、一端を基板に固定し搭載した充電回路と接続し、他端を解放して基板より立ち上げた短冊状の接触端子を備え、かつ、前記接触端子と基板間にプッシュスイッチを設けて、前記プッシュスイッチのオン・オフで充電回路をオン・オフするようにし、そのプッシュスイッチのオン・オフを接触端子の圧接で行なうようにするとともに、前記接触端子を設けた回路基板を接触端子の他端側を下にして台部に内蔵して、前記端子がスリットから切欠あるいは嵌合穴へ進出するようにした充電台。
【請求項２】
上記接触端子を、一端が基板に固定され、他端の先端にスリット幅よりも広い抜け止の形成された「く」の字状であるものとした請求項１に記載の充電台。
【発明の詳細な説明】
【技術分野】
【０００１】
この発明は、充電機器や充電電池の充電に用いられる充電台に関するものである。
【背景技術】
【０００２】
充電電池（二次電池）は、充電するだけで何度でも使用できて、電池の使い捨てを無くすことができる。そのため、携帯機器の電源に充電池を使用するものが多くなっている。この充電には、充電電池を充電の度に機器から外して専用の充電器に装着して充電するのは面倒である。この一つの解決策として、充電台を使用する方法が考えられている。
【０００３】
充電台は、例えば、図８の（特許文献１）のように、台部１に充電電池（この例では充電池パックであるが、充電機器の場合も同様である）２を装着する嵌合穴（嵌合用の切欠のものもある）３を設け、その穴３の底部に充電用の接触端子４を設けたもので、前記接触端子４が充電電池２を嵌合穴３に嵌入した際に、充電電池２の充電端子と接触して充電できるようにしたものである。このように電池２を充電台に装着するだけで充電できるので便利である。
【０００４】
また、このとき、図８のものでは、電池の種類に適した充電出力で充電するための充電回路を搭載した回路基板５を底部に配置して、この基板５に前記接触端子４とプッシュスイッチ６を取り付けて前記端子４と前記スイッチ６の押しボタンを底面から突出させている。こうすることで、充電台の嵌合穴へ充電電池２を装着すれば、プッシュスイッチ６の押しボタンが押されて出力を切り替えられるというものである。このように、充電台の接触端子４やプッシュスイッチ６が底部にあれば、充電回路の制御も簡単にできる。
【０００５】
【特許文献１】特開平６−１９２６４号公報
【発明の開示】
【発明が解決しようとする課題】
【０００６】
しかし、上記のように、基板を底部に収容するためには、底部を二重にして基板の収納スペースを設けなければならず、底部に充電台を固定するためのねじ孔を形成する場合や、底部を薄型にする必要がある場合など、底部のレイアウトに制約がある場合、回路基板を設けることができない問題がある。
【０００７】
このとき、台部の嵌合穴の内壁と台部の外壁の間にスペースを設けて基板を垂直にして内蔵することが考えられる。
【０００８】
しかしながら、基板を嵌合穴の内壁と台部の外壁の間に垂直に配置しても、基板の接触端子を内壁から露出させただけでは、充電機器の充電端子は底部にあるので上手く接触できない。
【０００９】
また、同様に、プッシュスイッチの押しボタンを内壁から突出させても突出した押しボタンに、垂直に嵌合穴へ挿入した充電機器が衝突するだけで、作動できない問題がある。このとき、プッシュスイッチに例えば、ヒンジレバーなどを取り付け、作動できるようにすることも考えられるが、ヒンジレバーを設けるためにコストが上昇するという問題がある。
【００１０】
そこで、この発明の課題は、回路基板を底部に設けなくとも充電ができるようにすることである。
【課題を解決するための手段】
【００１１】
上記の課題を解決するため、この発明では、台部の切欠あるいは嵌合穴の内壁に、内蔵する回路基板へ貫通するスリットを設け、回路基板に、一端を基板に固定し搭載した充電回路と接続し、他端を解放して基板より立ち上げた接触端子を備え、かつ、前記接触端子と基板間にプッシュスイッチを設けて、前記プッシュスイッチのオン・オフで充電回路をオン・オフするようにし、そのプッシュスイッチのオン・オフを接触端子の圧接で行なうようにするとともに、前記接触端子を設けた回路基板は、接触端子の他端側を下にして台部に内蔵して、前記端子がスリットから突出するようにした構成を採用したのである。
【００１２】
このような構成を採用し、基板を接触端子の他端側を下にして台部に内蔵し、接触端子の他端側を内壁の、例えば下方に設けたスリットから突出させることにより、基板から立ち上げた他端側の端部は、切欠あるいは嵌合穴内に突出する（この端部の先端部分から後の部分は傾斜した状態で進出することになる）。このため、充電機器あるいは充電電池を切欠あるいは嵌合穴へ挿入し装着すると、充電機器あるいは充電電池の底部の充電端子と、先の突出した端子とが接触して充電することができる。また、その接触の際に、接触端子が押されると、一端を基板に固定した接触端子が撓む。接触端子が撓むと、接触端子と基板間に設けたプッシュスイッチが圧接されてオンになる。また、圧接されてオンになったプッシュスイッチは、充電機器や充電電池を切欠あるいは嵌合穴から取り出すと、撓んでいた接触端子が元の状態に戻り（復元）、プッシュスイッチは解放されてオフになる。
【００１３】
このとき、接触端子を、一端が基板に固定され、他端の先端にスリット幅よりも広い抜け止の形成された「く」の字状であるものとした構成を採用することができる。
【００１４】
このような構成を採用することにより、「く」の字に形成された接触端子は、折曲部分（真ん中部分）が、切欠あるいは嵌合穴内に突出（進出）することになり、この部分が切欠あるいは嵌合穴へ挿入する充電機器や充電電池の充電端子と接触して充電する。また、他端の抜け止は、スリットに係合して接触端子がスリットから外れるのを防止し、スリットは、折曲した接触端子をガイドして端子の折れ曲りなどの変形事故を防止する。
【発明の効果】
【００１５】
この発明は、以上のように構成したことにより、底部のレイアウトに制約がある場合などでも接触端子や検出スイッチを充電機器や充電池を装着する嵌合用の切欠や嵌合穴の内壁に設けて充電台を構成できる。また、簡単な構造で充電台を構成できるのでコストを抑えることもできる。
【発明を実施するための最良の形態】
【００１６】
以下、この発明の実施の形態を図面に基づいて説明する。
【００１７】
この形態の充電台は、図１に示すように、携帯無線機１０を装着して充電するためのもので、底部を薄型にしてスタイリッシュにしたものである。
【００１８】
この充電台は、図２に示すように、嵌合用の切欠（図８のような嵌合穴３でも可）１１を設けた台部１２と、図３に示すような回路基板１３とからなり、回路基板１３は、図４に示すように、切欠１１の内壁１４と台部１２の外壁１５との間にスペース１６を設けて内蔵するようになっている。
【００１９】
前記台部１２の切欠１１は、充電端子を備えた携帯無線機１０を装着するように設けたもので、携帯無線機１０を装着しやすいように前方に開口９を設けてある。
【００２０】
一方、切欠１１内には、３個のスリット１７を設けてある。前記スリット１７は、切欠１１の後方の内壁１４の下方に設けて、回路基板１３を内蔵するスペース１６に貫通するようにしてある。また、このスリット１７の間には突条１８を設けて、各スリット１７から突出する後述の接触端子１９を分離するようにしてある。
【００２１】
この他、切欠１１内には、位置決め用の突起２０と固定用のバネ２１が設けられており、携帯無線機１０を装着した際に、接触端子１９と接触するための位置が一義的に決まるようにしてある。
【００２２】
すなわち、携帯無線機１０を装着した際に、無線機１０側の溝と位置決め用の前記突起２０が係合することで向きを決める。そして、その向きを固定用のバネ２１が携帯無線機１０筐体を把持することで固定する。
【００２３】
さらに、この切欠１１には、ねじ孔２２が設けられており、このねじ孔にねじ釘を挿通して机などに固定することができるようにしてある。
【００２４】
回路基板１３は、充電回路を搭載するもので、充電用の接触端子１９とオン・オフ用のプッシュスイッチ２３を備えている。
【００２５】
充電回路は、定電圧定電流充電回路（図の裏側で省略）で、電池電圧を測定し、その測定電圧に基づいて充電電圧を制御するというものである。そのため、接触端子１９を３本設けて、１本を電池電圧測定用の端子とし、残りの２本は充電用の＋極と−極となっている。
【００２６】
この接触端子１９は、ツメ部を一端１９ａに形成し、他端１９ｂを「Ｔ」字型に形成した短冊状の弾性を有する導電性の板材を折曲して「く」の字型にしたもので、一端１９ａのツメ部を基板に取り付けて充電回路と接続し、他端１９ｂを基板から立ち上げた状態にしてある。
【００２７】
オン・オフ用のプッシュスイッチ２３は、充電回路の作動をコントロールするためのもので、図３のように、基板１３の接触端子１９の内の１本（どれでも可）と基板１３との間に配置し、前記スイッチ２３の押しボタンが接触端子１９と対向するようにしてある。こうすることで、前記接触端子１９が矢印のように撓むと、押しボタンを圧接してプッシュスイッチ２３をオンするようになっている。また、圧接された押しボタンは、撓んだ接触端子１９が元に戻ると（復元すると）、解放されてオフになる。このとき、前記スイッチ２３の動作範囲に対して接触端子１９の形状（曲げ具合）を変えることで、検出感度を簡単に調節できる。
【００２８】
ここで、図３の符号２４は、ＡＣアダプター用の接続ジャックである。また、符号２５は、ＬＥＤによる充電状態を示すパイロットランプである。符号２６は、充電回路のコンデンサである。
【００２９】
この回路基板は、図４に示すように、接触端子１９の他端側１９ｂを下にして台部１２に内蔵する。すると、前記端子１９がスリット１７から突出する。突出した前記端子１９は、「く」の字の折曲部分（真ん中）１９ｃが、切欠１１内に突出する先端部分となり、この部分１９ｃが携帯無線機１０を切欠１１に装着した際に、無線通信機１０の充電端子と接触する。その際、折曲部分１９ｃと両端１９ａ、１９ｂまでの部分は、スリット１７にガイドされるので、端子の折れ曲がりなどの変形事故を防止できる。また、他端１９ｂの抜け止は、スリット１７に係合して接触端子１９がスリット１７から外れるのを防止する。
【００３０】
この形態は、上記のように構成され、充電台は、ＡＣアダプターを接続し、例えば、机上に置いて使用する。
【００３１】
充電台は、携帯無線機１０を装着しないときは、図４のように、スリット１７から接触端子１９が突出し、プッシュスイッチ２３は解放されてオフであり、充電回路もオフである。
【００３２】
いま、携帯無線機１０を充電のために台部１２の切欠１１へ図５の矢印Ａのように（上下方向に）嵌入する。その際、携帯無線機１０の向きは、切欠１１内の突起２０の向きに合わせて嵌入する。すると、携帯無線機１０の筐体に押されて図５の矢印Ｂのように接触端子１９が撓み、撓んだ接触端子によってプッシュスイッチ２３の押しボタンが図５の矢印Ｃのように押される。そのため、プッシュスイッチ２３はオンになり、充電回路が作動する。
【００３３】
このとき、携帯無線機１０は、図６のように、切欠１１の底部に到達するが、その際、接触端子１９の切欠１１内へ突出した「く」の字の折曲部分１９ｃが、携帯無線機１０の底部の充電端子２７と接触するので充電することができる。
【００３４】
また、充電が完了して携帯無線機１０を図５の矢印Ａと逆方向に持ち上げて取り外すと、接触端子１９は、矢印Ｂと逆方向に戻り（復元し）、プッシュスイッチ２３の押しボタンが矢印Ｃと逆方向へ伸長してオフになる。そのため、充電回路をオフにすることができる。
【００３５】
このように、回路基板１３を垂直に配置し、スリット１７を設けて接触端子１９を切欠１１内に突出させて充電できるようにし、その突出させた接触端子１９と基板１３間にプッシュスイッチ２３を設けたので、接触端子１９が携帯無線機１０の充電端子２７と接触すれば、充電電池の検出ができて、充電回路のオン・オフができる。このため、検出方向に制約が無い。しかも、プッシュスイッチ２３に替えて他のスイッチを使わなくとも充電台の底部をスリムにしたり、底部にねじ止め用の孔を設けたりできるので、構成部品の削減（例えば、ヒンジレバーを備えなくとも）ができて低コストにもできる。
【００３６】
なお、実施形態では、充電機器に携帯無線機を使用したものについて述べたが、充電機器はこれに限定されるものではない。例えば、携帯電話やＰＤＡなどの情報機器にも適用可能である。また、実施形態では、充電機器についてしか述べていないが、充電台に対応したバッテリーパックに適用することもできる。
【実施例１】
【００３７】
この実施例１は、接触端子について述べたもので、「く」の字型の接触端子１９に替えて図７のような短冊状の接触端子１９´を用いたものである。この場合も基板１３から立ち上がった他端１９ｂ´が、切欠１１あるいは嵌合穴内に突出することで、実施形態のものと同様に充電とプッシュスイッチのオン・オフとができるものである。
【００３８】
他の構成及び作用効果については、実施形態と同様なので、同一符号を付して説明は省略する。
【図面の簡単な説明】
【００３９】
【図１】実施形態の斜視図
【図２】実施形態の要部の斜視図
【図３】実施形態の要部の斜視図
【図４】実施形態の断面図
【図５】実施形態の作用説明図
【図６】実施形態の断面図
【図７】実施例１の断面図
【図８】従来例の断面図
【符号の説明】
【００４０】
１０  携帯無線機
１１  切欠
１２  台部
１３  回路基板
１４  内壁
１５  外壁
１６  スペース
１７  スリット
１９  接触端子
１９ａ  一端
１９ｂ  他端
１９ｃ  折曲
２３  プッシュスイッチ
【図１】
2008086162.tif 000003
【図２】
2008086162.tif 000004
【図３】
2008086162.tif 000005
【図４】
2008086162.tif 000006
【図５】
2008086162.tif 000007
【図６】
2008086162.tif 000008
【図７】
2008086162.tif 000009
【図８】
2008086162.tif 000010